(57)【要約】      （修正有）【課題】通常使われる７寸と呼ばれる直径約２１センチメートルの骨壺を内部に入れられる小型墓石では、上部の石材が骨壺の収納が可能な大きさでなければならない為に大きく重いので、下部の石材の上に壊れやすい骨壺を置いて、その上から大きくて重い上部の石材を被せての組み立てと設置は大変であるが、これを容易にできる墓石を提供する。【解決手段】上部の石材と下部の石材を連結する連結機構９を作る事により、上部の石材を後ろに倒した状態にして、内部に骨壺を収納した後に、上下の石材を連結でき、上下の石材と内部の骨壺が一緒に起こせて、骨壺が壊れることが無く、体力が無い人でも墓石の組み立てと設置を簡単にでき、また、墓石が３段以上の石材で構成される場合にも、連結機構９を隣接する各段の石材に作る事により、簡単にできるようにする。【選択図】図７
2020056236.tif 000002
【特許請求の範囲】
【請求項１】
本発明は、墓石の上下の石材の連結機構を有する、骨壺を内部に入れられる小型墓石に関するものであり、上下に重なる石材において、上部の石材は、幅約３０センチメートル、奥行約３０センチメートル、高さ約３０センチメートルで、上部墓石体と称し、下部の石材は幅約４０センチメートル、奥行約３５センチメートル、高さ約８センチメートルで、下部墓石体と称し、  上部墓石体と下部墓石体は左右の中心は同じ位置であり、双方の後面は同一平面にあり、上部墓石体の上面から下方へ約５センチメートルの位置から直径約２５センチメートルの円柱状の空洞が、上部墓石体の下端まであり、この空間を骨壺収納庫と称し、上部墓石体の下面の各隅から各々約３センチメートルの４か所には、直径約２０ミリメートル、深さ約３０ミリメートルの穴が開いており、各４か所は棒形状ナット収納用穴部と称し、棒形状ナットを収納するのであるが、棒形状ナットは直径約２０ミリメートルで長さは約３０ミリメートルであり内部にM12の雌ネジが切ってあり、棒形状ナットは棒形状ナット収納用穴部に挿入されて棒形状ナットの下面と上部墓石体の下面が同じ位置になるように接着剤で固着されており、下部墓石体には上部墓石体の棒ナット収納用穴部に適合する４つの位置にM12の六角穴付ボルト用の直径１３ミリメートルの穴が貫通し下端に六角穴付ボルト用の座ぐり加工が行われており、この４か所の穴を六角穴付ボルト用穴部と称し、上部墓石体に固着されている棒形状ナットと下部墓石体の六角穴付ボルト用穴と六角穴付ボルトを総称して連結機構と称するのであるが、此の連結機構により墓石全体を簡単に連結出来ることを特徴とする連結機構を有する小型墓石。
【請求項２】
墓石が上下３段以上の石材から構成される場合には、隣接する上下の石材に連結機構を組み込む事により、３段以上の石材からなる墓石全体を簡単に連結出来ることを特徴とする請求項１に記載の連結機構を有する小型墓石。
【発明の詳細な説明】
【技術分野】
【０００１】
本発明は、墓石の上下の石材の連結機構を有する、骨壺を内部に入れられる小型墓石に関するものである。
【背景技術】
【０００２】
通常使われる７寸と呼ばれる直径約２１センチメートルの骨壺を内部に入れられる小型墓石では、上部の石材が骨壺の収納が可能な大きさでなければならない為に大きく重いので、下部の石材の上に壊れやすい骨壺を置いて、その上から大きくて重い上部の石材を被せての組み立て作業と設置は大変であった。此の組み立て作業と設置を簡単に可能とする機構を持った小型墓石は無かった。
【先行技術文献】
【特許文献】
【０００３】
【特許文献１】特願２０１７―２４４４６６
【発明の概要】
【発明が解決しようとする課題】
【０００４】
通常使われる７寸と呼ばれる直径約２１センチメートルの骨壺を内部に入れられる小型墓石では、上部の石材が骨壺の収納が可能な大きさでなければならない為に大きく重いので、下部の石材の上に壊れやすい骨壺を置いて、その上から大きくて重い上部の石材を被せての組み立て作業と設置は大変な作業であったので、この作業を簡単にする機構を持った小型墓石を提供する事。
【課題を解決するための手段】
【０００５】
上下に重なる墓石において、上部の石材は、幅約３０センチメートル、奥行約３０センチメートル、高さ約３０センチメートルで、上部墓石体と称する。
下部の石材は幅約４０センチメートル、奥行約３５センチメートル、高さ約８センチメートルで、下部墓石体と称する。  
上部墓石体と下部墓石体は左右の中心は同じ位置であり、双方の後面は同一平面にある。
上部墓石体の上面から下方へ約５センチメートルの位置から直径約２５センチメートルの円柱状の空洞が、上部墓石体の下端まであり、この空間を骨壺収納庫と称する。上部墓石体の下面の各隅から約３センチメートルの４か所には、直径約２０ミリメートル、深さ約３０ミリメートルの穴が開いており、棒形状ナット収納用穴部と称し、棒形状ナットを収容する。
棒形状ナットは直径約２０ミリメートルで長さは約３０ミリメートルであり内部にM12の雌ネジが切ってある。棒形状ナットは棒形状ナット収納用穴部に挿入されて棒形状ナットの下面と上部墓石体の下面が同じ位置になるように接着剤で固着されている。
下部墓石体には上部墓石体の棒ナット収納用穴部に適合する４つの位置にM12の六角穴付ボルト用の直径１３ミリメートルの穴が貫通していて、下端にM12の六角穴付ボルト用の座ぐり加工が施されている。この４か所の穴を六角穴付ボルト用穴部と称する。
上部墓石体に固着されている棒形状ナットと下部墓石体の六角穴付ボルト用穴部と六角穴付ボルトを総称して連結機構と称する。此の連結機構により上部墓石体と下部墓石体は簡単に連結出来る。
墓石が３段以上の石材から構成される場合には、隣接する上下の石材に連結機構を組み込む事により、墓石全体を簡単に連結できる。
本発明は、以上を特徴とする小型墓石である。
【発明の効果】
【０００６】
通常使われる７寸と呼ばれる直径約２１センチメートルの骨壺を内部に入れられる小型墓石では、上部の石材が骨壺の収納が可能な大きさでなければならない為に大きく重いので、下部の石材の上に壊れやすい骨壺を置いて、その上から大きくて重い上部の石材を被せての組み立て作業と設置は大変であった。
本発明は上部の石材と下部の石材を連結する連結機構を作る事により、上部の石材を後ろに倒した状態にして、上部の石材の内部に骨壺を収納した後に、連結機構を用いて下部の石材を連結すれば、上部の石材と下部の石材と内部の骨壺が一緒に起こせて、骨壺が壊れることが無く、体力がない人でも墓石の組み立て作業と設置が簡単に出来るようになる。
本発明により、通常使われる７寸と呼ばれる直径約２１センチメートルの骨壺の収納が可能で、女性や年配者でも組み立て作業と設置が可能な、コンパクトで軽量かつ室内設置を特徴とする小型墓石を提供する事が可能となった。
【発明を実施するための形態】
【０００７】
以下、本発明を図の具体例を用いて説明する。
図１に示すように、上部の石材は、幅約３０センチメートル、奥行約３０センチメートル、高さ約３０センチメートルで、上部墓石体（１）と称する。
下部の石材は幅約４０センチメートル、奥行約３５センチメートル、高さ約８センチメートルで、下部墓石体（２）と称する。
上部墓石体（１）と下部墓石体（２）は左右の中心は同じ位置であり、双方の後面は同一平面にある。
図２に示すように、上部墓石体（１）の上面から下方へ約５センチメートルの位置から直径約２５センチメートルの円柱状の空洞が、上部墓石体（１）の下端まであり、この空間を骨壺収納庫（３）と称する。
図４に示すように、に上部墓石体（１）の下面の各隅から約３センチメートルの４か所には、直径約２０ミリメートル、深さ約３０ミリメートルの穴が開いており、各４か所は棒形状ナット収納用穴部（４）と称する。
図６に示すように棒形状ナット（５）は直径約２０ミリメートルで長さは約３０ミリメートルであり内部にM12の雌ネジが切ってある。棒形状ナット（５）は棒形状ナット収納用穴部（４）に挿入されており、棒形状ナット（５）の下面と上部墓石体（１）の下面が同じ位置になるように接着剤で固着されている。
図５に示すように、下部墓石体（２）には上部墓石体（１）の棒ナット収納用穴部（４）に適合する４つの位置にM12の六角穴付ボルト（8）用の直径１３ミリメートルの穴が４本貫通していて、下端には、M12の六角穴付ボルト（8）用の座ぐり加工が行われている。この４か所の穴を六角穴付ボルト用穴部（７）と称する。
図８に示すように、上部墓石体（１）に固着されている棒形状ナット（５）と下部墓石体（２）の六角穴付ボルト用穴部（７）と六角穴付ボルト（8）を総称して連結機構（９）と称する。
此の連結機構（９）により上部墓石体（１）と下部墓石体（２）は簡単に連結出来る。
図９に示すように墓石が上下３段以上の石材から構成される場合には、隣接する上下の石材に連結機構（９）を組み込む事により、墓石全体を簡単に連結できる。
本発明は、以上を特徴とする小型墓石である。
【図面の簡単な説明】
【０００８】
【図１】本発明の斜視図
【図２】本発明において、内部の骨壺収納庫の構造を示した断面斜視図
【図３】本発明を上部墓石体の下面から上方に２センチメートルのところで切断して内部を平面的に見せた断面図
【図４】本発明の一部分である上段墓石体を後方に倒して下面を見せた斜視図
【図５】本発明の一部分である下部墓石体の斜視図
【図６】本発明の一部分である棒形状ナットの斜視図
【図７】本発明において一部断面図を含む斜視図
【図８】図７に示された本発明において、連結機構の部位を解り易く見せた部分拡大図
【図９】本発明において構成する石材が３段の場合における、一部断面図を含む斜視図
【図１０】図９に示された本発明において連結機構の部位を解り易く見せた部分拡大図
【符号の説明】
【０００９】
（１）上部墓石体              （２）下部墓石体      （３）骨壺収納庫
（４）棒形状ナット収納用穴部  （５）棒形状ナット    （６）M12雌ネジ部
（７）六角穴付きボルト用穴部  （8）六角穴付きボルト  （９）連結機構
【図１】
2020056236.tif 000003
【図２】
2020056236.tif 000004
【図３】
2020056236.tif 000005
【図４】
2020056236.tif 000006
【図５】
2020056236.tif 000007
【図６】
2020056236.tif 000008
【図７】
2020056236.tif 000009
【図８】
2020056236.tif 000010
【図９】
2020056236.tif 000011
【図１０】
2020056236.tif 000012
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
墓石の上下の石材の連結機構を有する、骨壺を内部に入れられる小型墓石に関するものであり、上下に重なる石材において、上部の石材は、幅約３０センチメートル、奥行約３０センチメートル、高さ約３０センチメートルで、上部墓石体と称し、下部の石材は幅約４０センチメートル、奥行約３５センチメートル、高さ約８センチメートルで、下部墓石体と称し、  上部墓石体と下部墓石体は左右の中心は同じ位置であり、双方の後面は同一平面にあり、上部墓石体の上面から下方へ約５センチメートルの位置から直径約２５センチメートルの円柱状の空洞が、上部墓石体の下端まであり、この空間を骨壺収納庫と称し、上部墓石体の下面の各隅から各々約３センチメートルの４か所には、直径約２０ミリメートル、深さ約３０ミリメートルの穴が開いており、各４か所は棒形状ナット収納用穴部と称し、棒形状ナットを収納するのであるが、棒形状ナットは直径約２０ミリメートルで長さは約３０ミリメートルであり内部にM12の雌ネジが切ってあり、棒形状ナットは棒形状ナット収納用穴部に挿入されて棒形状ナットの下面と上部墓石体の下面が同じ位置になるように接着剤で固着されており、下部墓石体には上部墓石体の棒形状ナット収納用穴部に適合する４つの位置にM12の六角穴付きボルト用の直径１３ミリメートルの穴が貫通し下端に六角穴付きボルト用の座ぐり加工が行われており、この４か所の穴を六角穴付きボルト用穴部と称し、上部墓石体に固着されている棒形状ナットと下部墓石体の六角穴付きボルト用穴部と六角穴付きボルトを総称して連結機構と称するのであるが、此の連結機構により墓石全体を簡単に連結出来ることを特徴とする連結機構を有する小型墓石。 
【請求項２】
墓石が上下３段以上の石材から構成される場合には、隣接する上下の石材に連結機構を組み込む事により、３段以上の石材からなる墓石全体を簡単に連結出来ることを特徴とする請求項１に記載の連結機構を有する小型墓石。